(57)【要約】      （修正有）【課題】目に移植後、侵襲的な処置を必要とすることなく、焦点合わせ性能が修正され得る眼内レンズ（ＩＯＬ）を提供する。【解決手段】ＩＯＬは、流体の作用により変形可能な可撓領域を少なくとも有する光学室を有する。ＩＯＬは、光学室と流体流通する、光学流体を貯蔵するための溜め２４と、溜めと光学室との間の流体連通を調整する弁３０とを更に含む。該レンズはまたポンプ３４を含み、該ポンプは、外部エネルギー源によって作動され、溜めと光学室との間に光学流体を移送し、光学室内の流体の量を変え、これによってＩＯＬの焦点合わせ性能を修正する。【選択図】図３
2014061387.tif 000002
【特許請求の範囲】
【請求項１】
眼内レンズであって、
変形可能な前側光学面及び変形可能な後側光学面を備える光学部分であって、前記二つの光学面がそれらの間に光学流体室を形成する光学体と、
前記光学流体室に配置される流体と、
前記光学部分から延在する複数の触覚体であって、前記光学流体室と流体交換する流体溜めを含む複数の触覚体と、
を備え、
前記変形可能な前側光学面及び前記変形可能な後側光学面は、当該眼内レンズが目に移植されると、前記流体溜めから前記光学流体室内への前記流体の移動に応じて変形して当該眼内レンズの度を変化させるように構成されていることを特徴とする眼内レンズ。
【発明の詳細な説明】
【技術分野】
【０００１】
本発明は、一般に、眼内レンズに関し、更に詳しくは、個々の目に移植後、いかなる侵襲性の処置をも必要とすることなく、その焦点合わせ性能が外部から調整され得る眼内レンズに関する。
【背景技術】
【０００２】
人間の目のレンズ及び角膜は、約４０ジオプター（Ｄ）の屈折力を与える角膜と約２０Ｄの屈折力を与えるレンズとの組み合わされたほぼ６０Ｄの屈折力を提供する。白内障のようなある目の病気は、レンズを次第に不透明にする。該不透明度は、一般に、徐々に悪化し、最終的に失明を招き得る。一般に、不透明レンズを外科的に除去し、網膜に対する光の非遮断透過を可能にすることが必要である。しかし、レンズの除去は、レンズが与える実質的な屈折力を目から奪う。
【０００３】
自然のレンズが目から取り去られる場合、目が網膜上に光の焦点を合わせることを助けるため、眼内レンズ（ＩＯＬ）が目に移植され得る。眼内レンズは、一般に、一又は複数の固定焦点合わせ性能を提供する。一般に、必要な屈折補正は、目へのＩＯＬの移植前に測定される。必要な補正屈折力のそのような手術前の予測は、時には十分に正確ではない。更には、一旦移植されると、ＩＯＬは、目内で位置を移し得、それにより、焦点ロスをもたらす。それ故に、移植ＩＯＬを有する個人は、所望する視力を得るため、眼鏡のような付加的な補正装置を必要とし得る。
【発明の概要】
【発明が解決しようとする課題】
【０００４】
従って、その焦点合わせ性能が原位置で修正され得る眼内レンズを提供することが本発明の目的である。
【０００５】
目への移植後、その焦点合わせ性能が外部から修正され得る眼内レンズを提供することが本発明の別の目的である。
【０００６】
その焦点合わせ性能が選択範囲にわたって調整され得る眼内レンズを提供することが本発明の更に別の目的である。
【発明の効果】
【０００７】
本発明は、一般に、焦点合わせ性能（焦点合わせ動作）を選択された範囲にわたって調整可能なレンズを提供することにより、上記の及び他の目的を達成する。一実施形態において、本発明は、侵襲性の処置を必要とすることなく、患者の目への移植後に、焦点合わせ性能が調整可能な眼内レンズを教示する。特に、本発明に従うＩＯＬ（眼内レンズ）の焦点合わせ性能は、ＩＯＬに対し外部源から供給された磁気的又は電気的エネルギーのようなエネルギーの適用により調整可能である。本発明の教示に従う眼内レンズは、流体からの圧力作用の下で変形可能な光学室を含む。ＩＯＬは、光学室と流体連通する、光学（的）流体を貯蔵するための溜めを更に含む。弁は、溜めと光学室との間の流体連通を調整する。
【０００８】
ここで用いる用語「光学部品」又は「光学体」は、眼内レンズが光に焦点を合わせることを漸増的に可能にする本発明の眼内レンズ内における構成要素を包含することを企図する。該光学部品は、光学室及びそのような室内の光学流体、並びに、所望により一又は複数の物理的レンズ構造体をも含み得る。ここで用いられる用語「眼内レンズ」は、上述した全ての光学（的）要素（素子）、及びＩＯＬを目に取り付けるために有益な触覚(haptics)のような他の構造体、並びに、後述される他の構造体を包含する。
【０００９】
ＩＯＬは、溜めと光学室との間に選択量の光学流体の流れを引き起こすため、目の外部のエネルギー源によって作動可能なポンプを更に含み得る。光学室内への及び／又はそれから外への光学流体の流れは、光学室内の流体量を選択的に変える。光学室室内の流体量の変化は、光学室の可撓（フレキシブル）部分に作用する圧力を変え得、該可撓部分の曲率半径の変化をもたらすか、及び／又は光学室の光学面間の距離を変える。光学室におけるそのような変化は、ＩＯＬの焦点合わせ性能の変化に至り得る。
【００１０】
外部エネルギー源は、磁界発生器、電界発生器、又はレーザーのような光子源を含み得るが、これらに限定されない。一の好ましい実施形態において、振動磁界がポンプを駆動するために使用される。別の実施形態において、回転磁界がポンプを駆動するために使用される。
【００１１】
一般に、本発明に有用な光学流体の屈折率は、どのような値をもとり得る。しかし、たいていの実施において、光学流体の屈折率は、ほぼ１.３３７より大きいものが好ましく選択される。本発明の一の好ましい実施形態は、光学流体として、約１．４の屈折率を有するシリコーンを使用する。
【００１２】
多くの実施において、ＩＯＬは、二つの光学的要素を有する光学体を含み得、その内の少なくとも一方は、可撓（軟質）凸状領域を有する。これらの要素は、それらの間に光学室を形成する。そのような実施形態において、ある量の光学流体を上記室内へとポンピングすることは、光学室内の静水圧を高め、それ故、該室の可撓領域の曲率半径を低減させる。そのような曲率半径の低減は、該流体の焦点合わせ性能との組合せにおいて、眼内レンズの焦点合わせ性能を高めることとなる。
【００１３】
ＩＯＬ装置はまた、目内へのレンズの定着を可能にする一又は複数の触覚を含み得る。該触覚はまた、光学室の形状を修正するのに使用する流体の溜めを含み得る。
【００１４】
本発明の一実施形態は、歯車ポンプを使用する眼内レンズを提供する。そのような眼内レンズは、少なくとも光学室を有する光学体を含み、該光学室は、加えられた圧力に応答して変形可能な可撓領域を少なくとも有する。溜めと光学室との間に配置された弁を通じて光学室と流体連通する当該溜めは、選択量の光学流体を貯蔵する。歯車ポンプは、目に対し外部に位置付けられるエネルギー源によって作動されるように構成され、光学室と溜めとの間に弁を通って光学流体を移動させる。
【００１５】
歯車ポンプは、例えばシリコーンゴムから形成された一組の連動歯車を含み得る。該歯車の少なくとも一方は、例えば、シリコーンゴム内に永久磁石を移植することにより、磁気的に回転可能となるように選択される。外部磁界発生器は、上位磁気歯車に回転磁界をかけるために利用され得、その回転を引き起こす。磁気歯車の回転は、次に、他の歯車、すなわち磁気歯車と噛み合う歯車の反対方向の回転を引き起こす。該歯車の組合せ回転は、レンズの溜めと光学室との間の光学流体流を制御する。
【００１６】
本発明の別の好ましい実施形態は、光学流体の光学室と溜めとの間に流体連通を与えるためのぜん動ポンプを使用する。ぜん動ポンプはまた、溜めと光学室との間の光学流体流を調整するための弁を含み得る。外部回転磁界のような磁界が、伝播変形、例えば当該ポンプにおける収縮を誘発することにより、本発明に従うぜん動ポンプを駆動し、これは、溜めと光学室との間に光学流体の流れを引き起こす。従って、ポンプを作動することにより、臨床医（又は被検者）は、ＩＯＬの焦点合わせ性能を所望値へと校正又は調整することができる。
【００１７】
本発明の教示に従うぜん動ポンプは、例えば、シリコーンゴムのような弾性材料又は別の高分子エラストマーから形成される管状構造体を有し得る。管状構造体内において伝播収縮を誘発するため、回転磁界が管状構造体にかけられ得るように、フェライト、磁鉄鉱、ニッケルコバルト、ネオジム、ホウ素、サマリウム、鉄又はそれらの材料の組成物又は合金のような多数の磁粉（磁性粒子）が、管状構造体の壁内に分布される。該伝播収縮は、管状構造体内の光学流体を該構造体の一端部から他端部へと流れさせ、これにより、溜めと光学室との間に流体流を誘発する。
【００１８】
本発明の教示に従う眼内レンズの別の実施形態は、膜（ダイヤフラム）ポンプを利用して、光学流体を、光学体内に形成された光学室と光学流体を貯蔵するための溜めとの間に移送する。
【００１９】
膜ポンプは、目の外部に配置されたエネルギー源によって駆動され得る。例えば、膜ポンプは、磁気的に及び／又は電気的に作動され得る。
【００２０】
膜ポンプは、入口開口及び出口開口を有するハウジングを含み得、また更に、ハウジングと機械的に連動するように配置された可撓性（フレキシブル）膜を含み得る。該膜は、シリコーン（Ｓｉ）、チタン、ステンレス鋼のような材料から形成可能であり、また、少なくとも一の共振振動周波数（共振振動数）を有するように選択され得る。あるいは、該膜は、ポリ（ジメチルシロキサン）（ＰＤＭＳ）のような弾性材料から形成可能である。該膜の共振振動周波数と実質的にほぼ同じ振動周波数を有する振動磁界は、該膜において大振幅振動を誘発し、これにより、入口及び出口開口間に流体流をもたらす。
【００２１】
本発明の更に別の実施形態において、眼内レンズは、強磁性流体材料を利用するぜん動マイクロポンプを使用可能である。ＩＯＬはまた、その間に光学室を形成するベース部及びカバー部を有する光学体を含み得る。カバー部又はベース部の少なくとも一方は、可撓（フレキシブル）領域を有し、これは、加えられた圧力に応答して変形可能である。ベース部は、光学流体を貯蔵するための溜めを含み、また更に、光学流体のための流路を提供することにより、溜めと光学室との間に流体連通を与えるためのチャネルを有する。カバー部は、強磁性流体材料を貯蔵するためのチャネルを有する。ベース部及びカバー部のチャネルは、好ましくは実質的に整列される。ベース部及びカバー部のチャネル間に配置された可撓膜（可撓メンブレン）は、強磁性流体を光学流体から隔離する。強磁性流体材料
は、例えば外部磁気エネルギー源によって外部から駆動可能であり、可撓膜に伝播圧力を与える。該伝播圧力は、次に、該膜の伝播変形を作り出し、溜めと光学室との間に選択量の光学流体の移送を引き起こす。本発明の眼内レンズに使用するのに適した強磁性流体材料は、シリコーン油のような油性強磁性流体、又は磁鉄鉱（Ｆｅ3 Ｏ4 ）、鉄、コバルト、窒化鉄（Ｐｅ3 Ｎ）から成るナノ粒子の石油蒸留懸濁物を含み得る。
【００２２】
別の側面において、本発明は、少なくとも光学室及び可撓（フレキシブル）領域を有する光学体を備える眼内レンズを提供し、該可撓領域は流体の作用により変形可能である。更に、ＩＯＬは、選択量の光学流体を貯蔵するための溜めを含む。溜めは、弁を通じて光学室と流体連通し、該弁は、溜めと光学室との間の光学流体流を調整する。ＩＯＬは、溜めと光学室との間に配置され、一端部が回転軸の周りに旋回可能に付けられた少なくとも一の磁石を含む。外部磁気エネルギー源によってかけられた磁界は、上記磁石を動かし得、それをその枢軸点周りに回転させ、それにより、例えば溜めと光学室との間の選択方向に流体流を強制的に流す。ＩＯＬはまた、上記第１の磁石の一の極からその他の極へと向けられたベクトルに沿って配置された第２の磁石を含み得、かかる配置は、第１及び第２の磁石の反対の極が互いに近くなるようにされる。これらの磁石は、同一回転軸周りにもかかわらず、外部磁気源によって反対方向に回転されるように駆動され得、溜めと光学室との間に弁を通る光学流体流をもたらす。
【００２３】
本発明の教示に従う別の眼内レンズは、マイクロ（超小型）ポンプを使用し、これは、磁性材料から成る少なくとも一のボールを利用する。そのような磁性材料は、好ましくは軟質であるものが選択され、例えば、シリコーン−鉄合金（２．５％〜６％Ｓｉ及びＦｅ残余）、又はＦｅ−Ｃｏ−Ｖ−Ｎｂ合金のような鉄−コバルト合金、例えばカーペンターヒペルコ（Carpenter Hiperco）合金を含み得る。そのようなＩＯＬは、それらの間に光学室を形成するベース部及びカバー部を有する光学体を含む。ベース部は、少なくとも可撓領域を有し、更に、光学室と流体連通する溜めを有する。更に、カバー部はチャネルを有し、これは、流体の少なくとも一部と接触する可撓（軟質／柔軟）部分を少なくとも有する面を含む。溜めと光学室間に配置された弁は、溜めと光学室との間の流体連通を調整
する。ボールはカバー部のチャネル内に配置され、また、外部磁気源によって駆動されて、それが可撓膜の変形を作り出すようにチャネル内で動く。ボール付近に作り出されたこの変形は、次に、溜めと光学室との間のチャネルと通る流体流を引き起こす。
【００２４】
本発明は、別個の「ベース」部及び「カバー」部の用語において記述されるが、本発明のＩＯＬが、既述のベース部及びカバー部に相当する二つの面を有する単一構造体として構成され得ることは明らかである。更に、二つの構成要素がＩＯＬの製造において形成される場合でさえ、該構成プロセスは、本質的に単一の構造体を形成するよう、「ベース」及び「カバー」構成要素が完全に融合されるようにされ得る。
【００２５】
本発明のＩＯＬの更なる実施形態は、圧電素子を駆動するため、ファラデー効果を使用可能であり、圧電素子は次に膜ポンプを作動する。特に、ＩＯＬは光学体を含み、光学体は、光学室を有すると共に、加えられた圧力に応答して変形可能な可撓領域を少なくとも有する。光学体は、光学流体を貯蔵するための溜めを更に含む。圧電素子は、外部源から与えられる時間と共に変化する磁束のようなエネルギーによって駆動可能であり、膜ポンプが溜めと光学室との間に選択量の光学流体を移送するようにさせる。
【００２６】
圧電性駆動膜ポンプは、入口開口及び出口開口（これらは一方向弁であり得る）を有するハウジングと、該ハウジングと機械的に連動する可撓膜と、該膜と接する圧電素子とを含み得る。例えば振動磁束によって誘発される圧電素子における応力の周期的変調（周期的調整）は、該膜の機械的振動をもたらし得る。そのような膜の振動は、膜ハウジング内の流体を、膜ポンプの入口開口と出口開口との間に強制的に流す。
【００２７】
本発明の別の側面に従う眼内レンズは、蒸気稼動ポンプを含む得る。蒸気稼動ポンプは、可撓膜（フレキシブルメンブレン）と接する、選択された量の流体、例えば水の溜めを有するハウジングを含み得る。外部エネルギー源によって電圧が加えられる抵抗器のような抵抗体が、周期的に流体を蒸気に変え、これによって、可撓膜に対し周期的圧力変化を与えるために使用可能である。この周期的圧力変化は、次に、該膜の周期的撓みをもたらし、これは、入力口と出力口（これらは一方弁であり得る）との間に該ポンプのハウジングを通って流体を移送するためのポンプ動作を与える。
【００２８】
本発明の別の側面において、溜めと光学室間に光学流体を移送するためのポンプは、逆電気泳動を使用する。
【００２９】
本発明の図示の実施形態が添付図面を参照して以下に説明される。
【図面の簡単な説明】
【００３０】
【図１Ａ】本発明の教示に従う眼内レンズの概略側面図である。
【図１Ｂ】図１ＡのＩＯＬの分解斜視図である。
【図１Ｃ】本発明の教示が適用され得る別の眼内レンズ構造の斜視図である。
【図１Ｄ】図１Ｃの眼内レンズの側面図である。
【図２】本発明に従う歯車ポンプ、埋め込み永久磁石及び弁を示す図１Ａ、１ＢのＩＯＬの破断斜視図である。
【図３】図１Ａ、１Ｂ及び２のＩＯＬのベース部の斜視図である。
【図４】ぜん動ポンプを使用する本発明の教示に従う眼内レンズの分解斜視図である。
【図５】図４のＩＯＬのぜん動ポンプ及び弁の斜視図である。
【図６Ａ】管状構造体の二つの壁内に分散された多数の磁紛（磁性粒子）を概略的に示す図５の模範的ぜん動ポンプを形成する管状構造体の破断斜視図である。
【図６Ｂ】加えられた磁界に応じて図６Ａのぜん動ポンプの壁に引き起こされた局在撓みを示す。
【図６Ｃ】光学流体をぜん動ポンプに強制的に通すため、適用回転磁界によってぜん動ポンプに誘発された伝搬局在収縮を概略的に示す。
【図７Ａ】ポンプの管状構造体の壁内における磁粉の非対象分布を示す、図５のぜん動ポンプの別の実施形態の断面図である。
【図７Ｂ】適用磁界に応じて図７のぜん動ポンプに形成された局在収縮を示す。
【図８】一組の膜ポンプを使用する本発明の教示に従うＩＯＬの別の実施形態の分解斜視図である。
【図８Ａ】溜めと光学室との間の流体流を調整するための弁を示す、先の図８のＩＯＬの一部の破断斜視図である。
【図９】図８の実施形態に使用され得る膜ポンプの分解斜視図である。
【図１０】強磁性流体ポンプを有する本発明の教示に従うＩＯＬの別の実施形態の分解斜視図である。
【図１１】選択された量の強磁性流体材料を貯蔵するためのチャネルを含むカバー部と図１０のＩＯＬのベース部からカバー部を分離する可撓膜との斜視図である。
【図１２】ＩＯＬの溜めと光学室との間に光学流体のための流路を与えるチャネルに対する強磁性流体材料を貯蔵するためのチャネルの並置を示す図１０及び１１のＩＯＬの部分断面図である。
【図１３】外部磁界にさらされた強磁性流体によって膜に誘導された局在伝搬ぶれを概略的に示す、図１０のＩＯＬのカバー部とベース部を分離する該膜（バリヤーフィルム）の斜視図である。
【図１４】溜めと光学室との間に光学流体をポンプするため、一組の永久磁石から形成されたマイクロポンプを使用する本発明の他の実施形態に従うＩＯＬのベース部の斜視図である。
【図１５Ａ】図１４の一組のマイクロポンプの一方を形成する永久磁石の部分上面図である。
【図１５Ｂ】外部適用磁界に応じての図１５Ａの磁石の振れを示す。
【図１６】溜めと光学室との間に光学流体を強制的に流すための磁気ボールを使用する本発明の別の実施形態に従うＩＯＬの分解斜視図である。
【図１７】膜ポンプを駆動するための圧電素子を使用する本発明の教示に従うマイクロポンプの斜視図である。
【図１８】本発明の教示に従う蒸気駆動ポンプの概略図である。
【図１９】本発明のＩＯＬ装置の焦点合わせ性能を外部から調整するための装置の斜視図である。
【図２０】本発明のＩＯＬレンズの焦点合わせ性能を調整するための外部エネルギー源として利用され得る磁界発生器（例えばコイル）の斜視図である。
【図２１】本発明のＩＯＬレンズの焦点合わせ性能を調整するための外部エネルギー源として利用され得る別の磁界発生器の斜視図である。
【図２２】本発明のレンズの焦点合わせ性能を外部から調整するのに使用するための電磁石を有する別の磁界発生器の斜視図である。
【発明を実施するための形態】
【００３１】
本発明はＩＯＬを提供し、それが患者の目に移植された後、いかなる侵襲性処置も要せずに、その焦点合わせ性能が事前定義範囲内で修正され得る。更に詳しくは、本発明の教示に従うＩＯＬの焦点合わせ性能は、ＩＯＬが移植される目の視力を最大にする光出力を提供するため、電界又は磁界を与える源のような外部エネルギー源を使用することによって修正され得る。本発明に従うＩＯＬは、選択範囲内のその光出力の外部修正を可能にする。本発明のＩＯＬの一の重要な利点は、その光出力のそのような修正が侵襲性処置を要せずに達成され得ることである。即ち、本発明のＩＯＬの焦点合わせ性能は、目の外部／遠隔のエネルギー源を利用することによって修正され得る。本発明の多くの好ましい実施形態が後述される。当業者は、本発明の範囲から逸脱することなく、これらの実施形態に多くの変更がなされ得ることを認識するであろう。
【００３２】
図１Ａ及び１Ｂは、本発明の一の好ましい実施形態に従う、光学体１２を含む眼内レンズ１０を示す。図示の光学体１２は、前側光学面１６及び後側光学面１４を含み、その内の少なくとも一方は、加えられた圧力に応じて変形可能である。膜１６及び膜／一体レンズ１４は、それらの間に光学室１８を形成する。図１Ｂに示されるＩＯＬ１０の分解斜視図は、ＩＯＬ１０が、後側光学面１４を有するベース部２０と、前側光学面１６を有するカバー部２２とを含むことを示す。ベース部２０は、二つの部分２４ａ及び２４ｂを有する溜め２４を更に含み、その中に、シリコーンのような光学流体（図示せず）が貯蔵され得る。チャネル２６は、溜め２４の部分２４ａ及び２４ｂ間に流体連通を与え、別のチャネル２８は、溜め２４と光学室１８間に流体連通を与える。弁３０は、溜め２４
と光学室１８間の流体連通を後述する態様にて調整する。
【００３３】
ここで使用される用語「ベース部」及び「カバー部」は、別個の要素及び単一構造体の面の両方を包含することを企図する。
【００３４】
ハウジング部２０は、一組の連動歯車３４ａ、ｂを収容するための座部３２を更に含み、連動歯車３４ａ、ｂは、溜め２４と光学室１８間に光学流体をポンプするため、外部磁気エネルギー源によって作動され得る。
【００３５】
本発明の眼内レンズの構造は、図１Ａ及び１Ｂに示されたものに限定されない。例えば、図１Ｃ及び１Ｄは、本発明の教示が適用され得る眼内レンズ１０ａを示す。図示のＩＯＬ１０ａは、例えば軟質アクリル樹脂材料から成る光学体１２ａと、光学体１２ａを囲むカラー１２ｂとを含む。ＩＯＬ１０ａは、一組のＣ字形触覚ループ１２ｃ／１２ｄを更に含み、その各々は、その基端部でカラー１２ｂにしっかり固定される。触覚ループ１２ｃ／１２ｄは、押出し法を利用することにより、例えばＰＭＭＡから形成され得る。模範的触覚ループ１２ｃ及び１２ｄは、光学体１２ａの後面下に、例えば５度の角度で下方に曲がる。
【００３６】
図１Ａ及び１Ｂを再び参照して、本発明の一の好ましい実施形態において、ベース部２０、カバー部２２及び歯車３４ａ、ｂは、シリコーンゴムから形成される。更に、図２に示されるように、歯車３４ａに埋め込まれた永久磁石３６が高内部磁化を有するように選択される。例えば、永久磁石３６は、当技術において知られているＮｄ−Ｆｅ−Ｂ又はＳｍ−Ｃｏ−Ｆｅ組成物を有し得る。ＩＯＬ１０は、射出成形のようないかなる適当な製造技術をも利用して形成され得る。
【００３７】
前側光学面１６及び後側光学面１４を形成するための材料は、その屈折率が、眼内レンズの焦点合わせ性能を修正するために利用される光学流体の屈折率と実質上ほぼ同等となるように好ましく選択され得る。例えば、該光学面は、シリコーンが光学流体として利用される場合、シリコーンゴムから形成され得る。シリコーンの屈折率とのシリコーンゴムの屈折率の実質的類似性は、光学面１４及び１６と液体充満光学室１８との間の境界で光の屈折を有利に最小にし、それにより、光学室１８の内面の要求品質の厳格さを緩和し、及び／又は、光学的異常性を最小にする。
【００３８】
前側光学面１６及び後側光学面１４を形成するのに適する他の材料は、ポリメタクリル酸メチル（ＰＭＭＡ）又はアクリレート／メタクリレート共重合体のようなアクリル重合体を含むが、これに限定されない。更に、本発明の眼内レンズに使用するための光学流体の選択は、上述のシリコーンに限定されない。例えば、長鎖ポリジメチルシロキサン トリメチルシロキシを末端基とするシリコーン油が光学流体として利用され得る。シリコーン油に対する種々の化学的改質も利用され得、いくつかの例では、より高い屈折率を与え得る。更に、シリコーン基流体以外の流体も、それらが透明で適当な屈折率及び粘性を有する限り、利用され得ることが理解されるべきである。
【００３９】
ＩＯＬ１０は触覚３６ａを更に含み、これは、目におけるＩＯＬ１０の固定を容易にするため、開業医に一般に使用されている。
【００４０】
この図示実施形態の前側光学面１６及び後側光学面１４は凸状として示されるが、当業者は、光学面１４及び／又は１６の形状が、該光学面の少なくとも一方の少なくとも一部が加えられた圧力に応じて変形するように十分に柔軟である限り、光学室が平凸であるように選択され得ることを理解するであろう。更に、光学面１４及び１６の一方又は両方は、ＩＯＬの焦点合わせ性能を向上させるため、及び／又は、本発明のＩＯＬ及び角膜を含む全光学系の色収差を補償するため、回折パターン、例えばフレネル回折パターンを含み得る。
【００４１】
図２は、座部３２における歯車３４ａ及び３４ｂの位置決めを示す。歯車３４ａ及び３４ｂは、耐久性のある滑りやすい材料で被われたコア歯車を含み得る。該コア歯車を形成するのに適したいくつかの材料は、チタン、ダイヤモンド、ＴｉＢ2 及び二硫化モリブデンを含むが、これらに限定されない。歯車３４ａ及び３４ｂのそのような構成は、コア材料の強度と滑りやすく耐久性のある被膜とを有利に結合させる。歯車３４ａは、ベクトルｍで概略的に示される磁気双極子モーメントを有する永久磁石３６を含む。歯車３４ａの磁気モーメントｍに対し、その時計回り又は反時計回りのいずれかの回転をもたらすため、外部磁界がかけられ得る。歯車３４ａの回転は、次に、反対方向の連動歯車３４ｂの回転をもたらし、それにより、溜め２４と光学室１８（図１Ａ、１Ｂ）の間に、即ち、溜め２４から光学室１８へ又は光学室１８から溜め２４へのいずれかに光学流体の流れを強制する。従って、連動歯車３４ａ及び３４ｂはギヤーポンプを形成し、これは、光学流体を内部室１８内へ又はその外へポンピングすることを可能にし、可撓前側光学面１６及び／又は可撓後側光学面１４に加えられた静水圧を変え、それによってＩＯＬ１０の屈折力を修正する。
【００４２】
例えば、歯車３４ａの上面と平行な平面にある模範的な外部磁界Ｂを歯車３４ａに対しかけることは、この歯車に対し、その回転をもたらすトルクを加える結果となる。この図示例において、外部磁界Ｂは、歯車３４ａの反時計回り回転を引き起こし、これは連動歯車３４ｂの時計回り回転をもたらす。外部磁界Ｂが動かないなら、磁気モーメントｍと外部磁界Ｂが整列されると、歯車３４ａの回転はやむ。
【００４３】
回転外部磁界が歯車３４に適用され得、該回転磁界が存在する限り歯車３４ａの連続回転を引き起こす。例えば、図示の外部磁界Ｂは、それが存在する平面において回転され得、歯車３４ａの連続回転をもたらし、歯車３４ａは次に歯車３４ｂを反対方向に回転させ、これにより、光学流体を溜め２４と光学室１８（図１Ａ、１Ｂ）との間に移送するためのポンプ動作を生み出す。
【００４４】
使用において、歯車ポンプ３４は、外部エネルギー源から供給された外部磁界によって作動され得、溜め２４と光学室１８間に光学流体を移送する。静止又は回転磁界のいずれかを与えるためのエネルギー源は、本技術において知られている。回転磁界は、例えば、広く使用されている３相電動機において見られ得る。多くのステッパー電動機も回転磁界を用い、そこでは、磁界の回転は連続的ではなく、多くの小さなステップで実行される。更に、振動強度を有する磁界を与える装置が知られている。そのような装置は、一般に、振動電流によって駆動されるインダクター、例えばコイルから成る。
【００４５】
図３は、歯車ポンプ３４ａ、ｂの模範的な操作を概略的に示す。溜め２４は、選択された量のシリコーンのような光学流体３８を貯蔵する。ＩＯＬ１０が患者の目に移植された後、その焦点合わせ性能を高める必要があり得る。そのような場合、選択された量の光学流体３８を溜め２４から光学室１８（図１Ａ）へとポンプするため、外部回転磁界が例えば上述した態様で歯車ポンプにかけられ得る。複数の矢印４０は、歯車ポンプ３４のポンプ動作の下で部分２４ａ及び２４ｂから光学室１８（図１Ａ及び１Ｂ）へと流れる光学流体３８の通路を概略的に示す。特に、歯車ポンプ３４は、溜め２４の部分２４ａ及び２４ｂからチャネル２８内へ、及び弁３０を通って光学室１８（図１Ａ）内へ向かう流体の流れを引き起こす。弁３０は、好ましくはスリット３０ａの形態であり、これは、歯車ポンプ３４によって生み出された該弁を横切る差圧が、選択された閾値を超えると、流体流のための開口を提供する。スリット３０ａは、例えば、ダイヤモンドメスを用いて、例えばモノリシック樹脂から成り得る成形関門にスリットを入れることにより、形成され得る。そのような微小なスライスは、弁閉鎖面の優れた合致を与え、それにより、ポンプ動作の不在下において弁を通っての流体の漏れを抑制する。
【００４６】
当業者は、本発明のＩＯＬにおける光学流体の流れを調整するために、スリット弁に加えて、他の多くの種類の弁が利用され得ることを認識するだろう。そのような弁は、フラップ弁、ボール弁、ノズル弁、スプリング弁及びゲート構造を含み得るが、これらに限定されない。
【００４７】
光学室１８（図１Ａ）内の光学流体量の増加は、前側光学面１６及び後側光学面１４に対し及ぼされた静水圧の増加をもたらす。光学面１４及び１６の少なくとも一方の少なくとも一部は、柔軟性（可撓性）であるように選択される。そのため、増加した静水圧は、該光学面をより凸状にする。即ち、それは、各光学面の曲率半径を増長し、それにより、ＩＯＬ１０の光出力を増やす。当業者は、本発明の教示に従うＩＯＬが一のみの軟質光学面について適正に機能し得ることを認識するであろう。即ち、前側光学面１６又は後側光学面１４の一方のみが軟質で、本発明の教示に従ってＩＯＬ１０の光出力を修正すれば十分である。更に、膜全体が柔軟であることは必要ではない。該膜の一領域、例えば光学的領域が、光学室１８内の光学流体によってそこに及ぼされた静水圧に有効に応じて十分に柔軟であれば十分である。
【００４８】
あるいは、歯車ポンプ３４は、選択された量の光学流体を光学室１８から溜め２４へと移送し、ＩＯＬ１８の光出力を低下させるために作動され得る。例えば、図２に概略的に示される外部回転磁界Ｂの回転方向を逆転させることは、歯車３４ａの回転を反対方向にさせ得、これにより、光学室から溜め２４への流体流を引き起こす。
【００４９】
図４は、本発明の別の実施形態に従う眼内レンズ４２の分解図を示す。先の実施形態のＩＯＬ１０と同様に、ＩＯＬ４２は、溜め４６を有するベース部４４とカバー部４８とを含む。図示のカバー部４８は、光学材料から形成された柔軟な凸状前側光学面５０を含む。加えて、ベース部４４は、これも光学材料から形成された柔軟な後側光学面５２を含む。図１Ａ、Ｂの室１８と同様の室が、前側光学面５０と後側光学面５２間に形成される。チャネル５４は、ぜん動ポンプ５６のための座部を提供し、該ポンプは、溜め４６に貯蔵された光学流体（図示せず）を溜め４６と光学室との間に移送するためのポンプ動作を与える。
【００５０】
図５は、模範的ぜん動ポンプ５６が、軟質材料から形成された管状構造体５６ａを有し、管状構造体５６ａの形状をチャネル５４の形状に実質上一致させることを可能にすることを示す。ポンプ５６は、二つの開口５６ｂ及び５６ｃを有し、これらは、光学流体の管状構造体５６ａ内へ及び／又はその外へ入ること及び／又は出ることを許容する。スリットの形態の弁５８は、管状構造体５６ａを通る光学流体流を調整し、それにより、溜め４６と室（図４）間の光学流体の移送を調整する。先の実施形態のスリット３０ａと同様に、ポンプ動作が無い状況下で弁５８を通る光学流体の漏れは最小である。
【００５１】
管状構造体５６ａは、一般に眼内レンズの構成に使用される例えばシリコーンゴム、ヒドロゲル又は粘弾性アクリル酸共重合体から形成され得、そこに分散された複数の磁粉（磁性粒子）を有する。該磁粉は、例えば、フェライト、磁鉄鉱、ニッケルコバルト、又はそのような材料の化合物もしくは合金であるように選択され得る。
【００５２】
例えば、管状構造体５６ａの破断斜視図である図６Ａは、モーメント５６ｄ、５６ｅ、５６ｆ及び５６ｇのような複数の磁気モーメントを示し、各々は北極（Ｎ）及び南極（Ｓ）を有し、これは、管状構造体５６ａの二つの壁６０及び６２内における複数の磁粉の模範的分散を概略的に示す。磁界Ｂ1 のような回転磁界は、後述する態様で管状構造体５６ａにかけられ得、構造体５６ａに伝搬局在収縮を引き起こし、これにより、それを通る光学流体流をもたらす。例えば、外部源によって適用され、かつ、モーメント５６ｄ〜５６ｇに垂直となると共に、管状構造体５６ａの壁によって形成されたチャネルに沿って向けられたベクトルＶに垂直となるように選択された磁界Ｂ1 は、５６ｄ〜５６ｇにトルクを加え、それらの局在撓み、従って、図６Ｂに示されるように管状構造体５６ａの一部の局在撓みを引き起こす。この撓みは、構造体５６ａにおける局在収縮を生み出す。管状構造体５６ａの面Ｓに平行な平面における磁界Ｂ1 の回転は、図６ｃに概略的に示されるように、誘導局在収縮を構造体５６ａに沿って伝播させる。この伝搬収縮は、光学流体を管状構造体５６ａを通って強制的に流し、これにより、ＩＯＬの溜めと光学室間に移送される。
【００５３】
当業者は、上述したもの以外の磁粉の分散も、本発明の教示に従うぜん動ポンプを形成するために利用され得ることを認識するであろう。例えば、磁紛は、図７Ａに概略的に示されるように、管状構造体５６ａの一のみの壁６０内に分散され得、非対称管状ポンプ構造体６４を作り出す。ポンプ６４の操作は、上述したものと同様である。特に、回転磁界は、図７Ｂに示された収縮のような伝搬収縮をもたらし、それにより該ポンプを通る流体流を引き起こすために適用され得る。
【００５４】
微小ぜん動ポンプ５６を製造するための一の技術は、該ポンプの壁を一部品又は二部品壁構造体として射出成形又は鋳造を通じて形成する。該壁構造体を形成するために利用される材料は、例えば、ゴム状重合体樹脂と永久磁化され得る粒子の微細紛との混合物であり得る。該粒子は、該樹脂内における粒子の分散の均等性を改善するため、非磁化状態において樹脂と混合される。該粒子の濃度は、例えば、該混合物の量のほぼ５０％までであり得る。該構造体の壁は、次に、適切に整列され、強磁界、例えば１〜４テスラにさらされ、該粒子の磁化ベクトルを適切に配向させる。その後、該樹脂は硬化され、該構造体は型から取り去られる。壁構造体は、次いで、ぜん動ポンプ５６を形成するため、光学体内へと組み付けられ、適当位置に接着され、封止される。
【００５５】
図８は、本発明の別の実施形態に従う眼内レンズ装置６６の分解斜視図であり、これは、レンズの溜めと光学室との間に光学流体をポンピングするために膜ポンプ６８及び７０を使用する。先の実施形態と同様に、レンズ６６は、軟質前側光学面７２ａを有するカバー部７２を含み、また、光学流体を貯蔵するための溜め７６を有するベース部７４を更に含む。ＩＯＬ６６はまた、膜ポンプ６８及び７０をそれぞれ収容するための座部７８ａ及び７８ｂを含む。更に、弁７８ｃ及び７８ｄは、ＩＯＬの溜め７６と光学室間の流体流を調整する。
【００５６】
ＩＯＬ６６の一部の破断図である図８Ａは、一の弁７８ｃをより良く示す。特に、図８Ａは、弁７８ｃが、例えば関門の極度に鋭い切開を通じて作られたスリットの形態であることを示す。
【００５７】
図９に参照すれば、眼内レンズ６６での使用にとっての各模範的な膜ポンプ６８、７０は、ポンプハウジング部８０を含み得、該ハウジング部は、それを通って光学流体がポンプハウジング８０内へ及び／又はその外へと流れ得る二つの開口８０ａ及び８０ｂを有する。膜蓋８２はハウジング部８０を被う。本発明の一の好ましい実施形態において、蓋８２は磁性を有し、そのため、そこに振動磁界をかけることで機械的に調節され得る。例えば、シリカから成る蓋への永久磁石の取付けは、そのような磁気膜板を作り出し得る。磁気膜板８２に垂直に向けられかつ振動等級を有する磁界Ｂ2 は、膜板８２を機械的に調節し、それにより、流体を、開口８０ａのノズル弁を通って吸い込まれ、開口８０ｂの別のノズル弁を通って追い出されるようにさせる。開口８０ａ及び８０ｂに配置された方向弁（図示せず）は、ポンプが作動された際、流れの選択された方向を確実なものとし得る。
【００５８】
膜ポンプ６８、７０の微小流体構成要素は、例えば、ポリ（ジメチルシロキサン）（ＰＤＭＳ）を利用して製造され得る。該微小流体構成要素を製造するために、多くの技術が使用され得る。例えば、参照によりここに組み込まれる、J. Micromech. Mircoreng. ９（１９９９）２１１〜２１７に発表された題目「Rapidprototyping of microfluidic switches in poly（dimethyl siloxane） and their actuation by electro-osmotic flow）」の論文は、ＰＤＭＳにおける微小流体構成要素の製造のための方法論を記述する。
【００５９】
また図８を参照して、例えば外部磁気源による一の膜ポンプのポンプ動作は、溜め７６と、カバー部７２とベース部７４間に形成された光学室との間における選択された量の光学流体の移送をもたらす。膜ポンプの一方を選択的に作動させて、光学室内へ又はその外へ流体流を供給する。
【００６０】
本発明の別の好ましい実施形態は、マイクロポンプを使用し、これは、Ｆｅ3Ｏ4 、Ｃｏ、Ｆｅ又はＦｅ3 Ｎナノ粒子を基とする強磁性流体のような強磁性流体材料を利用し、本発明の眼内レンズの溜めと光学室との間に光学流体を移送するためのポンプ動作を与える。
【００６１】
図１０は、そのような実施形態に従う眼内レンズ８４の分解図である。ＩＯＬ８４は、軟質前側光学面８６ａを有するカバー部８６と、溜め８８ａ及びチャネル８８ｂを有するベース部８８とを含み、チャネル８８ｂは、溜め８８ａと、カバー部８６とハウジング部８８間に形成される室との間に流体連通を与えるためのものである。弁８８ｃは、溜め８８ａと光学室との間の流体連通を調整する。
【００６２】
図１１は、選択された量の強磁性流体材料が貯蔵されるチャネル８６ｄを含むカバー部を示す。図１０及び１１の両方を参照すれば、可撓バリヤーフィルム９０は、カバー部８６をベース部８８から分離し、そのため、強磁性流体を光学流体から隔離する。
【００６３】
ＩＯＬ８４の部分断面図である図１２は、光学流体用の流路を提供するチャネル８８ｂに対する、強磁性流体を貯蔵するために利用されるチャネル８６ｄの並置を示す。チャネル８６ｄは、チャンネル８８ｂに対し実質上整列され、可撓膜９０によってそれから分離される。
【００６４】
図１０、１１、１２及び１３を参照して、強磁性流体に対する、外部源（図示せず）によって与えられた模範的磁界Ｂ3 の適用、及び膜９０の平面に平行な平面における回転は、チャネル８６ｄを通じて強磁性流体の運動を引き起こし得る。そのような強磁性流体の運動は、チャネル８６ｄをチャネル８８ｂから分離する膜９０の撓み９０ａのような局在撓みをもたらす（図１２及び１３）。磁界の回転は、膜９０における局所的な撓みを、チャネル８８ｂを超えて該膜の周囲に伝搬させ、これにより、溜め８８ａと光学室との間のチャネル８８ｂを通る光学流体流を強制的にもたらす。磁界の回転方向の反転は、光学流体流を逆方向に向ける。従って、光学流体は、単に磁界Ｂ3 の向きを選択することにより、光学室内へ又はその外へポンプされ得る。
【００６５】
本発明のいくつかの実施形態において、磁界Ｂ3 の方向は、それが、膜９０に垂直な構成要素及びチャネル８６ｄの方向における構成要素を有するように選択される。該垂直構成要素は、強磁性流体材料を膜９０に対し有利に押し、これにより、膜９０に形成された撓みを強める。膜９０は、例えば、シリコーンゴムのような弾性重合体から形成され得る。更に、膜９０は、それを通る流体の拡散を抑制するため、本技術において知られている態様で被覆された面であり得る。
【００６６】
図１４は、本発明の別の好ましい実施形態に従う眼内レンズのベース部９２を示し、これは、一組の磁気マイクロポンプ９４及び９６を含む。先の実施形態と同様に、ベース部９２は、光学流体（図示せず）を貯蔵するための溜め９８と、溜め９８と図１Ａ及び１Ｂに示された光学室１８のような光学室（図示せず）との間に流体連通を与えるためのチャネル１００とを含む。各マイクロポンプ９４及び９６は、二つの永久磁石９４ａ、ｂ及び９６ａ、ｂを含み、これらは、それぞれ、ポイントＡ、Ｂ及びＣ、Ｄの周りを旋回（枢動／回転）される。一組の弁１０２ａ、ｂは、溜め９８とチャネル１００との間の光学流体の移送を調整する。
【００６７】
マイクロポンプ９４及び９６の操作は、図１５Ａ及び１５Ｂを参照することにより理解され得、これらは、マイクロポンプ９４の永久磁石９４ａ、ｂが、例えば、磁石９４ａの北極（Ｎ）が磁石９４ｂの北極（Ｎ）に対面するように置かれる状態を示す。磁石９４ａ及び９４ｂは、磁気モーメントｍ1 及びｍ2 とみなされ得、各々は、磁石の北極（Ｎ）からその南極（Ｓ）へと伸長する方向を有する。外部磁気源によって与えられ、また、好ましくは磁気モーメントｍ1 及びｍ2 の方向に垂直でるように選択された、ベース部９２（図１４）の平面にある磁界Ｂ4のような磁界の適用は、図１５Ｂに示されるような磁石９４ａ及び９４ｂのふれを引き起こす。磁界Ｂ4 の方向の反転、即ち、磁界Ｂ5 の適用は、磁石９４ａ及び９４ｂの反対方向のふれをもたらす。それ故、その方向が磁界Ｂ4 及びＢ5 の方向を切り換える振動磁界が、磁石９４ａ及び９４ｂの機械的振動をもたらす。そのような機械的振動は、光学流体（図示せず）が溜め９８とチャネル１００との間
に移送されることを強制する。マイクロポンプ９６も同様な態様で動作する。
【００６８】
図１６は、本発明の教示に従う眼内レンズ１０４の更に別の実施形態の分解図であり、これは、カバー部１０６とベース部１０８と保持フィルム１１０とを含む。カバー部１０６は、軟質磁性材料から成るボール１１４を取り付けるためのチャネル１１２を含む。保持フィルム１１０、カバー部１０６及びハウジング部１０８は、好ましくは、シリコーンのような弾性材料から形成される。特に、チャネル１１２の底面１１２ａは、ボール１１４の磁力下で変形するのに十分な弾性を有するシリコーンのような材料から形成される。先の実施形態と同様に、ベース部１０８は、光学流体（図示せず）を貯蔵するための溜め１０８ａと、膜又は一体レンズ部１１６（好ましくは変形可能であるように選択される）と、実質上チャネル１１２と整列されるチャネル１１８とを含む。チャネル１１８は、溜め１０８ａと、カバー部１０６とベース部１０８間にこれらを共に連結すると形成される室との間に流体連通を与える。
【００６９】
大きな勾配を有する回転外部磁界がベース部１０８下の方向からボール１１４にかけられ得、それを、チャネル１１２の面１１２ａに対し押し付けさせ、これにより、ボール１１４付近における面１１２ａの局所的な撓みを強める。該磁界はまた、ボールをチャネル１１２に沿って移動させる構成要素を有するように選択され得る。チャネル１１２の面１１２ａにおける撓みがボールの動きと共にチャネル１１２の周囲に伝搬する際、それは、光学流体を、溜め１０８ａと光学室との間におけるベース部１０８のチャネル１１８に強制的に流す。従って、ボール１１４は、光学流体を光学室内へ又はその外へポンプするぜん動ポンプとして機能し、それにより、膜１１４及び１１６における静水圧を変える。光学室内における静水圧の該変化は、軟質膜１１４及び１１６の選択された撓みをもたらし、これにより、レンズの焦点合わせ性能における変化を引き起こす。
【００７０】
本発明の別の好ましい実施形態は、図１７に示されたマイクロポンプ１１８を使用し、これは、圧電作動素子１２０を利用し、図８の膜ポンプ６８と同様に、膜ポンプ１２２の膜（ダイヤフラム）１２２ａを駆動する。模範的な半円作動素子１２０によって部分的に閉じられた領域における時間と共に変化する磁束Φの適用は、ファラデー効果を通じての素子１２０の端部１２０ａ及び１２０ｂ間の電圧差を含む。作動コイル素子１２０が圧電能動物質から形成されるので、誘導電圧差は、圧電材料内の応力（ストレス）における変化を引き起こし、これは、次いで、膜１２２ａの機械的運動をもたらす。磁束の経時変化の速度の調整は、素子１２０における応力の調整をもたらし、これは、次に、膜１２２ａの機械的振動を引き起こす。図８及び９の実施形態に関して記述されるような膜１２２ａのこの機械的振動は、本発明の眼内レンズの溜めと光学室間に光学流体を移送するポンプ動作をもたらす。
【００７１】
作動素子１２０を形成するために用いられる材料は、それを横切って誘導される電圧差に応じてポンプ１２２の膜を駆動するために十分な長さの変化を示すように選択され、これは、目にレンズが移植される個人にとって安全である。例えば、電気活性重合体（ＥＡＰ）として知られている材料が作動素子１２０を形成するために利用され得る。そのような材料は、一般に、比較的控えめにかけられた電界に応じて大きな変位を示す。
【００７２】
マイクロポンプ１１８の一の利点は、それが、超高磁界を用いる核磁気共鳴映像法（ＭＲＩ）装置のような診断装置を妨げ得るいかなる磁気構成要素をも使用しないことである。
【００７３】
本発明の眼内レンズの別の実施形態は、溜めと内部室（図示せず）との間に光学流体の流れを引き起こすため、図１８に示されるような蒸気駆動マイクロポンプ１２４を使用する。蒸気駆動ポンプ１２４はハウジング１２６を含み、ハウジング１２６は、溜め１２６ｂをハウジング１２６の内部の残りの部分から分離する軟質膜１２６ａを有する。選択された量の水のような流体が、溜め１２６ｂに貯蔵される。好ましくはコンデンサー１３０及びインダクター１３２を有する共振回路を形成し得る抵抗体１２８は、周期的に溜め内の流体を加熱し、それを蒸気に変えるために使用され得る。これは、膜１２６ａに周期的圧力を及ぼし、それ故、周期的撓み、即ち、それの振動を引き起こす。
【００７４】
例えば、外部磁気源は、インダクター１３２を通っての好ましくは該回路の共振振動数に近い振動数を有する、時間と共に変化する磁束を与えるために用いられる得、それにより共振回路を生かす。軟質膜１２６ａの振動は、次に、ノズル弁（図示せず）を有する口１３４のような入力口からハウジング１２６の内部を通ってノズル弁（図示せず）を有する口１３６のような出口まで至る流体流をもたらす。
【００７５】
上述したように、電気又は磁気源のような外部エネルギー源は、本発明の眼内レンズの焦点合わせ性能を外部から調整するために使用され得る。図１９は、患者の目に移植された本発明の眼内レンズの焦点合わせ性能を外部から調整するための装置１３４を示す。装置１３４は、エネルギー源を含み得、また、事前定義値により該レンズの焦点合わせ性能を調整するための校正機構を更に含み得る。
【００７６】
多くの異なるエネルギー源が、本発明のＩＯＬのマイクロポンプを作動するために、装置１３４に利用され得る。例えば、図２０はコイルの形態の磁界発生器１３６を示し、それを通じて電流が流れ得、その軸方向に沿う磁界、例えば磁界Ｂを作り出す。該コイルを通って流れる電流の大きさの変化は、磁界の強さの変化をもたらし得、また、電流の方向の変化は、該磁界の方向の変化をもたらし得る。好ましい実施形態において、コイル１３６は、インダクター及びコンデンサーを有する共振回路を形成し、事前定義振動数、例えば図９の膜ポンプの膜の機械的振動周波数と実質的に同様である振動数を有する振動磁界を作り出す。そのような磁界発生器は、例えば、図８又は１７に示された本発明の眼内レンズの実施形態における焦点合わせ性能を調整するために使用され得る。
【００７７】
図２１は別の磁界発生器１３８を示し、これは、本発明の眼内レンズの屈折力を外部から調整するために利用され得る。磁界発生器１３８は、北極（「Ｎ」）及び南極（「Ｓ」）を有する磁石を含む。磁界線１３８ａは、北極から出て南極で終端する。磁界発生器１３８は、少なくともいくつかの磁界線１３８ａが目を貫くように、本発明のＩＯＬを有する患者の目の近くに位置付けられ得る。目の外部の磁界発生器の回転は、その際、例えば、ぜん動マイクロポンプを有する実施形態のような多くの本発明の実施形態に利用され得る回転磁界を引き起こし得る。
【００７８】
図２２は、ＩＯＬの焦点合わせ性能を調整するための本発明の種々の実施形態に利用され得る別の磁界発生器１４０を示す。磁界発生器１４０は、磁界線１４０ｂで表された磁界のような磁界を発生させるための電磁石１４０ａを含む。電磁石を通る電流の反転は、磁界の方向の反転をもたらす。更に、磁界の強さは、電磁石を通る電流を増加又は低減することにより変えられ得る。そのような磁界発生器は、例えば、歯車ポンプ又はぜん動ポンプ又は圧電駆動ポンプを有する本発明の実施形態において、外部エネルギー源として使用され得る。
【００７９】
当業者は、上述した実施形態に基づいて本発明の更なる特徴及び利点を認識するであろう。従って、本発明は、特許請求の範囲に示されたものを除き、特に示され記述されたものには限定されるべきではない。ここに引用された全ての刊行物及び参考文献は、それらの全体の参照によりここに明確に組み込まれる。
【符号の説明】
【００８０】
１０ 眼内レンズ（ＩＯＬ）
１２ 光学体
１４ 後側光学面
１６ 前側光学面
１８ 光学室
２０ ベース部
２２ カバー部
２４ 溜め
２６、２８ チャネル
３０ 弁
３４ａ、３４ｂ 連動歯車
【図１Ａ】
2014061387.tif 000003
【図１Ｂ】
2014061387.tif 000004
【図１Ｃ】
2014061387.tif 000005
【図１Ｄ】
2014061387.tif 000006
【図２】
2014061387.tif 000007
【図３】
2014061387.tif 000008
【図４】
2014061387.tif 000009
【図５】
2014061387.tif 000010
【図６Ａ】
2014061387.tif 000011
【図６Ｂ】
2014061387.tif 000012
【図６Ｃ】
2014061387.tif 000013
【図７Ａ】
2014061387.tif 000014
【図７Ｂ】
2014061387.tif 000015
【図８】
2014061387.tif 000016
【図８Ａ】
2014061387.tif 000017
【図９】
2014061387.tif 000018
【図１０】
2014061387.tif 000019
【図１１】
2014061387.tif 000020
【図１２】
2014061387.tif 000021
【図１３】
2014061387.tif 000022
【図１４】
2014061387.tif 000023
【図１５Ａ】
2014061387.tif 000024
【図１５Ｂ】
2014061387.tif 000025
【図１６】
2014061387.tif 000026
【図１７】
2014061387.tif 000027
【図１８】
2014061387.tif 000028
【図１９】
2014061387.tif 000029
【図２０】
2014061387.tif 000030
【図２１】
2014061387.tif 000031
【図２２】
2014061387.tif 000032